(57)【要約】【課題】作業効率が良く、長期にわたって密閉状態を維持できる衛星放送受信用コンバータを提供する。【解決手段】本発明の衛星放送受信用コンバータにおいて、第１，第２のケースの何れか一方の側壁８ｂには、コネクタ５を挿通するための孔８ｄを有すると共に、ケース内の孔８ｄの周囲には、リング状のパッキング部材１０が配設され、ケース内に収納されたコンバータ本体部Ｈ１は、コネクタ５が孔８ｄから外方に突出し、第１，第２のケースの組合せ時において、コンバータ本体部は、孔側に押圧され、パッキング部材１０を側壁８ｂに弾圧して、孔８ｄを塞ぐようにしたため、孔における密閉が確実で、長期にわたって密閉を維持できる。【選択図】　　　　図２
2004048418.tif 000002
【特許請求の範囲】
【請求項１】
コネクタを設けたコンバータ本体部と、このコンバータ本体部を内部に密閉した状態で収納する第１，第２のケースとを備え、前記第１，第２のケースの何れか一方の側壁には、前記コネクタを挿通するための孔を有すると共に、前記ケース内の前記孔の周囲には、リング状のパッキング部材が配設され、前記ケース内に収納された前記コンバータ本体部は、前記コネクタが前記孔から外方に突出し、前記第１，第２のケースの組合せ時において、前記コンバータ本体部は、前記孔側に押圧され、前記パッキング部材を前記側壁に弾圧して、前記孔を塞ぐようにしたことを特徴とする衛星放送受信用コンバータ。
【請求項２】
前記第１，第２のケースの何れか一方の前記側壁には、前記孔が設けられると共に、前記第１，第２のケースの他方には、前記ケース内に位置し、前記コンバータ本体部を前記孔側に押圧するための突部が設けられたことを特徴とする請求項１記載の衛星放送受信用コンバータ。
【請求項３】
前記パッキング部材は、前記コネクタに仮止めされた状態でケース内に位置させるようにしたことを特徴とする請求項１、又は２記載の衛星放送受信用コンバータ。
【請求項４】
前記コンバータ本体部は、電気回路を収納する箱形の枠体と、この枠体から突出するフィードホーンとを有し、前記第１，第２のケースは、一方で前記枠体を収納すると共に、他方で前記フィードホーンを収納するように二分されたことを特徴とする請求項１から３の何れかに記載の衛星放送受信用コンバータ。
【請求項５】
前記第１，第２のケースの合わせ部において、前記第１，第２のケースの一方には溝部が設けられると共に、前記第１，第２のケースの他方には前記溝部内に突入する突壁が設けられ、前記溝部内に充填された接着剤よって前記突壁が前記溝部に接着されて、前記第１，第２のケースの内部を密閉状態にしたことを特徴とする請求項１から４の何れかに記載の衛星放送受信用コンバータ。
【請求項６】
前記溝部と前記突壁が前記第１，第２のケースの合わせ部の全周に設けられたことを特徴とする請求項５記載の衛星放送受信用コンバータ。
【発明の詳細な説明】
【０００１】
【発明の属する技術分野】
本発明は屋外に設置されるものに使用して好適な衛星放送受信用コンバータに関する。
【０００２】
【従来の技術】
従来の衛星放送受信用コンバータの構成を図５，図６に基づいて説明すると、金属板を折り曲げして形成された枠体５１は、上下が開放したロ字状で構成されている。
金属板からなる蓋体５２は、枠体５１の一方の開放部を塞ぐように、枠体５１に掛け止めして取り付けられている。
【０００３】
プリント基板からなる回路基板５３は、一面側のほぼ全面にわたって形成された接地用パターン５４を有すると共に、ここでは図示しないが、他面側に配線パターンが設けられ、この配線パターンには、種々の電気部品を搭載して所望の受信用の電気回路が形成されたものとなっている。
【０００４】
そして、このような回路基板５３は、電気部品（電気回路）を枠体５１内に位置した状態で、ロ字状の枠体５１の他方の開放部を塞ぐように、枠体５１に取り付けられる。
回路基板５３が枠体５１に取り付けられた際、接地用パターン５４は枠体５１から露出して、枠体５１内をシールドし、その結果、電気回路は、枠体５１，蓋体５２，及び接地用パターン５４によって電気的にシールドされた状態となっている。
【０００５】
同軸型のコネクタ５５は、枠体５１から外方に突出した状態で枠体５１に取り付けられ、このコネクタ５５には電気回路が接続されている。
フィードホーン５６は、回路基板５３から垂直状態で接地用パターン５４に半田付けされて取り付けられおり、上記のような構成によってコンバータ本体部Ｈ２が形成されている。
【０００６】
そして、このようなコンバータ本体部Ｈ２は、衛星電波をフィードホーン５６から受けて、電気回路で処理された信号をコネクタ５５から取り出すようになると共に、このような構成のコンバータ本体部Ｈ２は、枠体５１の内部の密閉度が悪く、このため、屋外で使用する際に雨等の防水を確実にする必要がある。
【０００７】
合成樹脂の成型品からなる第１のケース５７は、上壁５７ａと、この上壁５７ａの周囲から下方に延びる側壁５７ｂと、この側壁５７ｂの下端部において、コネクタ５５を外部に導出するための少なくとも導出箇所（凹状の切り欠き部）を除く合わせ部に設けられた溝部５７ｃと、前記導出箇所の周囲に設けられた凹部５７ｄと、上壁５７ａから垂直方向に突出し、内部が空洞となった膨出部５７ｅとを有する。
【０００８】
そして、この第１のケース５７は、フィードホーン５６を膨出部５７ｅ内に収納した状態で、コンバータ本体部Ｈ２の上部全体を覆うように被せられる。
この時、コネクタ５５の一部は、導出箇所を通って第１のケース５７外に突出した状態となっている。
【０００９】
合成樹脂の成型品からなる第２のケース５８は、底壁５８ａと、この底壁５８ａの周囲から上方に延びる側壁５８ｂと、この側壁５８ｂの上端部において、コネクタ５５を外部に導出するための少なくとも導出箇所（凹状の切り欠き部）を除く合わせ部に設けられた突壁５８ｃと、前記導出箇所の周囲に設けられた凹部５８ｄとを有する。
【００１０】
そして、この第２のケース５８は、コンバータ本体部Ｈ２の下部全体を覆うように被せられると共に、突壁５８ｃが接着剤５９を充填した溝部５７ｃ内に突入し、導出箇所を除く第１，第２のケース５７，５８の合わせ部が接着剤５９によって接着されて、密閉された状態となる。
【００１１】
この時、コネクタ５５の一部は、導出箇所を通って第２のケース５８外に突出した状態となるが、第１，第２のケース５７，５８の導出箇所の周囲に設けられた凹部５７ｄ、５８ｄには、接着剤６０が設けられて、導出箇所が塞がれた状態となっている。
【００１２】
次に、従来の衛星放送受信用コンバータの組立方法を説明すると、先ず、第１のケース５７が図５，図６で示す状態から裏返した状態で冶具に保持され、この状態で、溝部５７ｃ内に接着剤５９を充填する。
【００１３】
次に、コンバータ本体部Ｈ２を第１のケース５７内に載置した後、第２のケース５８を第１のケース５７に合わせて、突壁５８ｃを溝部５７ｃ内、及び接着剤５９内に突入させた後、接着剤５９を乾燥して、第１，第２のケース５７，５８の合わせ部が塞がれる。
【００１４】
次に、凹部５７ｄ、５８ｄが上になるように第１，第２のケース５７，５８を配置した後、凹部５７ｄ、５８ｄ内に接着剤６０を充填し、しかる後、接着剤６０を乾燥して、第１，第２のケース５７，５８の導出箇所を接着剤６０で塞ぐと、その組立が完了する。
【００１５】
【発明が解決しようとする課題】
従来の衛星放送受信用コンバータは、溝部５７ｃと導出箇所（凹部５７ｄ、５８ｄ）の２度にわたって接着剤５９、６０の充填、乾燥を繰り返すため、その作業が面倒である上に、作業時間が多くかかって、作業効率が悪いという問題がある。
また、第１，第２のケース５７，５８のコネクタ５５の導出箇所は、互いに端面同士が向かい合った状態で、接着剤６０によって接着されたものであるため、外部環境によってケースの内部が膨張、収縮した際、接着剤６０の強度が弱く、導出箇所間に通気孔が生じて密閉状態が悪くなるという問題がある。
【００１６】
そこで、本発明は作業効率が良く、長期にわたって密閉状態を維持できる衛星放送受信用コンバータを提供することを目的とする。
【００１７】
【課題を解決するための手段】
上記課題を解決するための第１の解決手段として、コネクタを設けたコンバータ本体部と、このコンバータ本体部を内部に密閉した状態で収納する第１，第２のケースとを備え、前記第１，第２のケースの何れか一方の側壁には、前記コネクタを挿通するための孔を有すると共に、前記ケース内の前記孔の周囲には、リング状のパッキング部材が配設され、前記ケース内に収納された前記コンバータ本体部は、前記コネクタが前記孔から外方に突出し、前記第１，第２のケースの組合せ時において、前記コンバータ本体部は、前記孔側に押圧され、前記パッキング部材を前記側壁に弾圧して、前記孔を塞ぐようにした構成とした。
【００１８】
また、第２の解決手段として、前記第１，第２のケースの何れか一方の前記側壁には、前記孔が設けられると共に、前記第１，第２のケースの他方には、前記ケース内に位置し、前記コンバータ本体部を前記孔側に押圧するための突部が設けられた構成とした。
【００１９】
また、第３の解決手段として、前記パッキング部材は、前記コネクタに仮止めされた状態でケース内に位置させるようにした構成とした。
また、第４の解決手段として、前記コンバータ本体部は、電気回路を収納する箱形の枠体と、この枠体から突出するフィードホーンとを有し、前記第１，第２のケースは、一方で前記枠体を収納すると共に、他方で前記フィードホーンを収納するように二分された構成とした。
【００２０】
また、第５の解決手段として、前記第１，第２のケースの合わせ部において、前記第１，第２のケースの一方には溝部が設けられると共に、前記第１，第２のケースの他方には前記溝部内に突入する突壁が設けられ、前記溝部内に充填された接着剤よって前記突壁が前記溝部に接着されて、前記第１，第２のケースの内部を密閉状態にした構成とした。
また、第６の解決手段として、前記溝部と前記突壁が前記第１，第２のケースの合わせ部の全周に設けられた構成とした。
【００２１】
【発明の実施の形態】
本発明の衛星放送受信用コンバータの図面を説明すると、図１は本発明の衛星放送受信用コンバータの要部の分解斜視図、図２は本発明の衛星放送受信用コンバータの要部の断面図、図３は本発明の衛星放送受信用コンバータに係り、組立方法の第１工程を示す説明図、図４は本発明の衛星放送受信用コンバータに係り、組立方法の第２工程を示す説明図である。
【００２２】
本発明の衛星放送受信用コンバータの構成を図１〜図４に基づいて説明すると、金属板を折り曲げして形成された枠体１は、上下が開放したロ字状で構成されている。
金属板からなる蓋体２は、枠体１の一方の開放部を塞ぐように、枠体１に掛け止めして取り付けられている。
【００２３】
プリント基板からなる回路基板３は、一面側のほぼ全面にわたって形成された接地用パターン４を有すると共に、ここでは図示しないが、他面側に配線パターンが設けられ、この配線パターンには、種々の電気部品を搭載して所望の受信用の電気回路が形成されたものとなっている。
【００２４】
そして、このような回路基板３は、電気部品（受信用の電気回路）を枠体１内に位置した状態で、ロ字状の枠体１の他方の開放部を塞ぐように、枠体１に取り付けられる。
回路基板３が枠体１に取り付けられた際、接地用パターン４は枠体１から露出して、枠体１内をシールドし、その結果、電気回路は、枠体１，蓋体２，及び接地用パターン４によって電気的にシールドされた状態となっている。
【００２５】
一対の同軸型のコネクタ５は、枠体１から外方に突出した状態で枠体１に取り付けられ、このコネクタ５には電気回路が接続されている。
フィードホーン６は、回路基板３と平行な状態で接地用パターン４に半田付けされて取り付けられおり、上記のような構成によってコンバータ本体部Ｈ１が形成されている。
【００２６】
そして、このようなコンバータ本体部Ｈ１は、衛星電波をフィードホーン６から受けて、電気回路で処理された信号をコネクタ５から取り出すようになると共に、このような構成のコンバータ本体部Ｈ１は、枠体１の内部の密閉度が悪く、このため、屋外で使用する際に雨等の防水を確実にする必要がある。
【００２７】
合成樹脂の成型品からなる第１のケース７は、上壁７ａと、この上壁７ａの周囲から下方に延びる側壁７ｂと、この側壁７ｂの下端部において、下端部の全周に設けられた環状の突壁７ｃと、上壁７ａから垂直方向に突出し、内部が空洞となった膨出部７ｄと、上壁７ａの内部から下方に突出した突部７ｅとを有する。そして、この第１のケース７は、フィードホーン６を膨出部７ｄ内に収納した状態で、コンバータ本体部Ｈ１の上部全体を覆うように被せられる。
【００２８】
合成樹脂の成型品からなる第２のケース８は、底壁８ａと、この底壁８ａの周囲から上方に延びる側壁８ｂと、この側壁８ｂの上端部において、上端部の全周に設けられた環状の凹状の溝部８ｃと、側壁８ｂに設けられた一対の孔８ｄとを有する。
この第２のケース８は、コンバータ本体部Ｈ１の下部（枠体１）全体を覆うように被せられる。
【００２９】
そして、第１，第２のケース７，８が組み合わされた際、両者の合わせ部においては、突壁７ｃが接着剤９を充填した溝部８ｃ内に突入し、両者の合わせ部の全周が接着剤９によって接着されて、密閉された状態となる。
【００３０】
また、第１，第２のケース７，８内に収納されたコンバータ本体部Ｈ１のコネクタ５は、第２のケース８の孔８ｄから外方に突出すると共に、第２のケース８内の孔８ｄの周囲に配設されたリング状のゴム材等からなるパッキング部材１０は、第１のケース７に設けられた突部７ｅによって、コンバータ本体部Ｈ１が押圧されることにより側壁８ｂに押し付けられる。
その結果、パッキング部材１０によって孔８ｄが密閉された状態となる。
【００３１】
次に、本発明の衛星放送受信用コンバータの組立方法を説明すると、先ず、図３に示すように、コネクタ５にパッキング部材１０を仮止めした状態で、コンバータ本体部Ｈ１の枠体１が溝部８ｃに接着剤９を充填状態にある第２のケース８内に収納される。
この時、枠体１は、底壁８ａ上に載置されると共に、コネクタ５は、孔８ｄと一致した状態となる。
【００３２】
次に、図４に示すように、コンバータ本体部Ｈ１を底壁８ａに沿ってスライド移動させて、コネクタ５が孔８ｄから突出した状態にした後、第２のケース８上に第１のケース７を合わせて、両者を組み合わせる。
その組合せの途上において、第１のケース７の突部７ｅが枠体１に当接して、この突部７ｅによって、コンバータ本体部Ｈ１が孔８ｄ側に押圧されて、パッキング部材１０がコンバータ本体部Ｈ１によって側壁８ｂに押し付けられて、孔８ｄが塞がれるようになる。
【００３３】
これと同時に、突壁７ｃが溝部８ｃ内、及び接着剤９内に突入して、合わせ部の全周が塞がれるようになって、その組立は完了する。
また、第１，第２のケースの組合せ時、スナップ結合によって両者を結合するようにしても良い。
【００３４】
なお、この実施例では、第１のケースにコンバータ本体部を押圧する突部を設け、第２のケースにコネクタを挿通するための孔を設けたもので説明したが、第１のケースにコネクタを挿通する孔を設け、第２のケースにコンバータ本体部を押圧する突部を設けても良い。
【００３５】
また、第１，第２のケースは、フィードホーンを覆う部分と枠体を覆う部分の上下に二分したもので説明したが、例えば、第１，第２のケースは、図２において左右に二分したもの等でも良い。
また、この実施例では、第１のケース７に突壁７ｃを、また、第２のケース８に溝部８ｃを設けたもので説明したが、第１のケース７に溝部を設け、第２のケース８に突壁を設けたものでも良い。
【００３６】
【発明の効果】
本発明の衛星放送受信用コンバータは、コネクタを設けたコンバータ本体部と、このコンバータ本体部を内部に密閉した状態で収納する第１，第２のケースとを備え、第１，第２のケースの何れか一方の側壁には、コネクタを挿通するための孔を有すると共に、ケース内の孔の周囲には、リング状のパッキング部材が配設され、ケース内に収納されたコンバータ本体部は、コネクタが孔から外方に突出し、第１，第２のケースの組合せ時において、コンバータ本体部は、孔側に押圧され、パッキング部材を側壁に弾圧して、孔を塞ぐようにしたため、孔における密閉が従来の接着剤を用いるもの比して確実で、長期にわたって密閉を維持できる。
また、孔における密閉が接着剤を用いることなく行え、組立性が良好で、生産性の良いものが得られる。
【００３７】
また、第１，第２のケースの何れか一方の側壁には、孔が設けられると共に、第１，第２のケースの他方には、ケース内に位置し、コンバータ本体部を孔側に押圧するための突部が設けられたため、第１，第２のケースの組合せと同時に、パッキング部材による孔の密閉ができて、生産性の良好なものが得られる。
【００３８】
また、パッキング部材は、コネクタに仮止めされた状態でケース内に位置させるようにしたため、組立性が良好で、生産性の良いものが得られる。
【００３９】
また、コンバータ本体部は、電気回路を収納する箱形の枠体と、この枠体から突出するフィードホーンとを有し、第１，第２のケースは、一方で枠体を収納すると共に、他方でフィードホーンを収納するように二分されたため、第１，第２のケースを上下方向から組み合わせれば良く、組立性が良好で、生産性の良いものが得られる。
【００４０】
また、第１，第２のケースの合わせ部において、第１，第２のケースの一方には溝部が設けられると共に、第１，第２のケースの他方には溝部内に突入する突壁が設けられ、溝部内に充填された接着剤よって突壁が溝部に接着されて、第１，第２のケースの内部を密閉状態にしたため、第１，第２のケースの組合せと同時に、合わせ部の密閉ができて、組立性が良好で、生産性の良いものが得られる。
【００４１】
また、溝部と突壁が前記第１，第２のケースの合わせ部の全周に設けられたため、合わせ部の完全な密閉状態を得ることができる。
【図面の簡単な説明】
【図１】本発明の衛星放送受信用コンバータの要部の分解斜視図。
【図２】本発明の衛星放送受信用コンバータの要部の断面図。
【図３】本発明の衛星放送受信用コンバータに係り、組立方法の第１工程を示す説明図。
【図４】本発明の衛星放送受信用コンバータに係り、組立方法の第２工程を示す説明図。
【図５】従来の衛星放送受信用コンバータの正面図。
【図６】従来の衛星放送受信用コンバータの要部の断面図。
【符号の説明】
１　枠体
２　蓋体
３　回路基板
４　接地用パターン
５　コネクタ
６　フィードホーン
Ｈ１　コンバータ本体部
７　第１のケース
７ａ　上壁
７ｂ　側壁
７ｃ　突壁
７ｄ　膨出部
７ｅ　突部
８　第２のケース
８ａ　底壁
８ｂ　側壁
８ｃ　溝部
８ｄ　孔
９　接着剤
４２　パッキング部材
【図１】
2004048418.tif 000003
【図２】
2004048418.tif 000004
【図３】
2004048418.tif 000005
【図４】
2004048418.tif 000006
【図５】
2004048418.tif 000007
【図６】
2004048418.tif 000008